(57)【要約】【課題】  発光ダイオードを利用したループ状の発光装身具であって、装飾品を十分に小型化して意匠性を高めることが出来かつ装飾品自体をより輝かせることが出来る発光装身具を提供する。【解決手段】  発光装身具は、発光ダイオード（４）が取り付けられた光透過性の装飾品（１）と、電池が収納された電池ホルダー（２）とを一対の紐状体（３）で繋いでループ状に構成される。発光ダイオード（４）は、実質的に装飾品（１）の内部に埋設され、紐状体（３）に備えられた給電用のケーブルは、発光ダイオード（４）のアノード及びカソードにそれぞれ直結される。【選択図】  図１
0003116069.tif 000002
【実用新案登録請求の範囲】
【請求項１】
発光ダイオードが取り付けられた光透過性の装飾品と、電池が収納された電池ホルダーとを一対の紐状体で繋いでループ状に構成された発光装身具であって、前記発光ダイオードは、実質的に前記装飾品の内部に埋設され、前記紐状体は、電池ホルダーの正極および負極側からそれぞれ前記装飾品の発光ダイオードのアノード及びカソードに至る給電用のケーブルを備え、かつ、これらケーブルは、前記アノード及びカソードにそれぞれ直結されていることを特徴とする発光装身具。
【請求項２】
発光ダイオードが装飾品内部の略中央に配置されている請求項１に記載の発光装身具。
【請求項３】
発光ダイオードが表面実装型の発光ダイオードである請求項１又は２に記載の発光装身具。
【請求項４】
電池ホルダーには、発光ダイオードを点滅させる点滅回路が備えられている請求項１〜３の何れかに記載の発光装身具。
【請求項５】
紐状体は、金属製撚り線から成るケーブルを透明樹脂で被覆して構成されている請求項１〜４の何れかに記載の発光装身具。
【請求項６】
装飾品がビーズである請求項１〜５の何れかに記載の発光装身具。
【考案の詳細な説明】
【技術分野】
【０００１】
本考案は、発光装身具に関するものであり、詳しくは、発光ダイオードを利用したネックレス、ブレスレット、ペンダント等のループ状の発光装身具に関するものである。
【背景技術】
【０００２】
発光ダイオード（ＬＥＤ）は、順方向に電流を流すことにより発光する半導体素子であり、材料の違いによって赤、緑、オレンジ、青などの各色に発光する。発光ダイオードの用途は、信号機、ディスプレイ、液晶のバックライト、自動車のテールランプ等の表示機器や小型照明としての用途の他、発光機能を有する玩具や装身具としての用途も種々検討されている。
【０００３】
例えば、ＬＥＤを使用した発光装身具に関する技術としては、発光ダイオードが付設された光透過性の装飾品と、電池が内蔵された電池ボックスと、発光ダイオードと電池ボックスの電池を接続する２本の導線と、一方の導線の端部と電池ボックスに間に配置された電源スイッチとから構成された「ネックレス」が提案されている。
【特許文献１】実用新案登録第３０８４２４９号公報
【考案の開示】
【考案が解決しようとする課題】
【０００４】
上記のネックレスの様な従来の発光装身具は、保護ケースに発光ダイオードを収納して成る発光部が装飾品の上端に取り付けられており、外観上、装飾品本体に対する発光部の大きさが大きく視認されるため、意匠性に欠け、また、発光部を設ける観点から、装飾品の外形を大きくしなければならず、全体として玩具的な印象を受ける傾向にある。更に、発光ダイオードを発光させた場合、装飾品の上端から入射した光を装飾品内部で反射させることにより装飾品を光らせるため、発光ダイオードの光量に比較して、装飾品において十分な輝きが得られない。そして、これらの実情から、従来の発光装身具は、大人向けの装身具として構成し難いと言う実情がある。
【０００５】
本考案は、上記の実情に鑑みなされたものであり、その目的は、発光ダイオードを利用したループ状の発光装身具であって、装飾品を十分に小型化して意匠性を高めることが出来かつ装飾品自体をより輝かせることが出来、通常の装身具として十分に使用可能な発光装身具を提供することにある。
【課題を解決するための手段】
【０００６】
上記の課題を解決するため、本考案の発光装身具は、発光ダイオードが取り付けられた光透過性の装飾品と、電池が収納された電池ホルダーとを一対の紐状体で繋いでループ状に構成された発光装身具であって、前記発光ダイオードは、実質的に前記装飾品の内部に埋設され、前記紐状体は、電池ホルダーの正極および負極側からそれぞれ前記装飾品の発光ダイオードのアノード及びカソードに至る給電用のケーブルを備え、かつ、これらケーブルは、前記アノード及びカソードにそれぞれ直結されていることを特徴とする。
【０００７】
すなわち、上記の発光装身具においては、発光ダイオードを装飾品の内部に埋設し、かつ、給電用のケーブルを発光ダイオードのアノード及びカソードに直結することにより、装飾品全体を小型化し、そして、装飾品の内部から発光ダイオードの光を直接発散させる様にした。
【考案の効果】
【０００８】
本考案の発光装身具によれば、発光ダイオードが装飾品の内部に埋設され、電池ホルダーからの給電用のケーブルが発光ダイオードのアノード及びカソードに直結されているため、装飾品全体をより小型化でき、しかも、装飾品において十分な輝きを得ることが出来る。
【考案を実施するための最良の形態】
【０００９】
本考案に係る発光装身具の一実施形態を図面に基づいて説明する。図１は、本考案に係る発光装身具の一例としてのネックレスの外観を示す斜視図をである。また、図２は、図１のネックレスの装飾品に埋設された発光ダイオード及び光ダイオードに対する給電用ケーブルの結線の形態を示す平面図であり、図３は、図１のネックレスの電池ホルダーの一例を示す斜視図である。
【００１０】
本考案の発光装身具は、発光ダイオード（以下、「ＬＥＤ」と言う。）を利用した発光装身具であり、ネックレス、ブレスレット、ペンダント等のループ状の装身具として構成される。図１に示す様に、本考案の発光装身具は、例えばネックレスとして構成され、斯かるネックレスは、ＬＥＤ（４）が取り付けられた光透過性の装飾品（１）と、電池（図示省略）が収納された電池ホルダー（２）とを一対の紐状体（３）で繋いでループ状に構成される。
【００１１】
ＬＥＤ（４）は、周知の通り、アノードとカソードの各端子にそれぞれ正、負の電圧を印加し、ｐｎ接合部に順方向のバイアスをかけることにより、エレクトロルミネセンス効果を利用して発光させる半導体素子であり、殆ど熱を発生することなく、低電力で高輝度の発光が得られる。本考案においては、後述する様に装飾品（１）の内部に埋設し且つケーブル（３１）を直結するため、図２に示す様に、ＬＥＤ（４）としては、好ましくは表面実装型のＬＥＤが使用される。具体的には、ＬＥＤ（４）としては、日亜化学工業社製の商品名「日亜表面実装タイプ高耐圧ＬＥＤ」として知られるものが挙げられる。
【００１２】
なお、図２においては、ＬＥＤ（４）の一例として、青色に発光する表面実装型のＬＥＤを示しており、図中の符号（４３）はＬＥＤダイス、符号（４１）はアノード、符号（４２）はカソードをそれぞれ示しているが、本考案においては、装飾品（１）の内部に埋設でき且つケーブル（３１）を直結し得る限り、形状や電極構造の異なる種々のＬＥＤ（４）を使用できる。
【００１３】
装飾品（１）は、光透過性である限り、各種の素材から成る装飾品を適用できる。例えば、装飾品（１）は、ガラス製や樹脂製の造形品、水晶などの石英結晶およびその他の天然石によって構成される。本考案においては、表面実装型のＬＥＤ（４）に給電用のケーブル（３１）を直結することにより、装飾品（１）として、ビーズを使用することも出来る。なお、図１では、装飾品（１）としてガラス製の造形品を例示している。
【００１４】
本考案においては、装飾品（１）全体を小型化し且つ意匠性を高めるため、ＬＥＤ（４）が実質的に装飾品（１）の内部に埋設される。装飾品（１）の内部にＬＥＤ（４）を埋設する方法としては、装飾品（１）に貫通させた小孔に対し、ケーブル（３１）が結線されたＬＥＤ（４）を挿入する方法、２分割構造の装飾品（１）を準備し、ケーブル（３１）が結線されたＬＥＤ（４）を装飾品（１）の組立ての際に組み込む方法などが挙げられる。そして、好ましくは、図１及び図２に示す様に、装飾品（１）全体を輝かせるため、上記のＬＥＤ（４）は、装飾品（１）の内部の略中央に配置される。
【００１５】
電池ホルダー（２）は、ネックレスの場合は留金具に相当する部位であり、図３に示す様に、電池が収納された電池ホルダー本体（２１）と、当該電池ホルダー本体に結合可能な連結片（２２）とから構成される。図において連結片（２２）側だけを示すが、電池ホルダー本体（２１）及び連結片（２２）には、これらを連結するための磁石（２２ｂ）と、連結した状態において回路に通電するための接点（２２ａ）とを備えている。そして、電池ホルダー本体（２１）には、通常、通電用のスイッチが設けられる（図示省略）。
【００１６】
上記の電池ホルダー本体（２１）に収納される電池としては、小型化を図るため、二酸化マンガン系リチューム電池、アルカリ系ボタン電池などの小型の所謂ボタン電池、または、充電可能なＮＢＬ系コイン型リチュウム電池などの小型二次電池が使用される。具体的には、例えば、松下電器産業社製、東芝社製、日立マクセル社製などの規格番号「ＬＲ４１」，「ＬＲ４３」，「ＬＲ４４」，「ＬＲ１１２０」，「ＬＲ１１３０」等として知られるボタン電池が挙げられる。通常、上記の電池は、必要とされる電圧、容量を考慮して１個または２個使用される。
【００１７】
また、電池ホルダー（２）の電池ホルダー本体（２１）には、ＬＥＤ（４）を点滅させる点滅回路が備えられていてもよい。斯かる点滅回路は、小型のトランジスター、抵抗器、ＩＣチップ等を組み込んで成る所謂ＩＣ基板によって構成され、所定の時間間隔をあけて所定の時間だけＬＥＤ（４）に電力を供給する様になされている。
【００１８】
装飾品（１）と電池ホルダー（２）を繋ぐ紐状体（３）は、図１及び図２に示す様に、電池ホルダー（２）の正極および負極側からそれぞれ装飾品（１）のＬＥＤ（４）のアノード（４１）及びカソード（４２）に至る給電用のケーブル（３１）を備えている。ケーブル（３１）は、アルミニウム線、銅線、銀線、金メッキ線などから成り、樹脂で絶縁被覆される。すなわち、紐状体（３）は、例えば、金属製撚り線から成るケーブル（３１）を透明樹脂（３２）で被覆して構成される。上記の様に、光沢のあるケーブル（３１）を透明樹脂（３２）で被覆することにより、紐状体（３）の意匠性を高めることも出来る。
【００１９】
本考案においては、より小さな装飾品（１）に対しても意匠性を損なうことなくＬＥＤ（４）を埋設するため、図２に示す様に、上記のケーブル（３１）は、アノード（４１）及びカソード（４２）にそれぞれ直結されていることが重要である。この様に、ＬＥＤ（４）の各端子に紐状体（３）のケーブル（３１）を直結することにより、小さな装飾品（１）に違和感なくＬＥＤ（４）を埋込むことが出来る。
【００２０】
上記の様に、本考案の発光装身具は、ＬＥＤ（４）が装飾品（１）の内部に埋設され、かつ、給電用のケーブル（３１）がＬＥＤ（４）のアノード（４１）及びカソード（４２）に直結されていることにより、ＬＥＤ（４）及び結線部分を目立たなくすることが出来かつ装飾品（１）全体を小型化できるため、意匠性を一層高めることが出来る。従って、大人向けの通常の装身具として十分に使用可能である。しかも、本考案の発光装身具は、ＬＥＤ（４）が装飾品（１）の内部に埋設されていることにより、装飾品（１）の内部でＬＥＤ（４）を点灯させ、装飾品（１）の内部からＬＥＤ（４）の光を直接発散させ得るため、より少ない電力量で装飾品（１）自体を一層輝かせることが出来る。
【図面の簡単な説明】
【００２１】
【図１】本考案に係る発光装身具の一例としてのネックレスの外観を示す斜視図をである。
【図２】図１のネックレスの装飾品に埋設された発光ダイオード及び光ダイオードに対する給電用ケーブルの結線の形態を示す平面図である。
【図３】図１のネックレスの電池ホルダーの一例を示す斜視図である。
【符号の説明】
【００２２】
１    ：装飾品
２    ：電池ホルダー
２１  ：電池ホルダー本体
２２  ：連結片
２２ａ：接点
２２ｂ：磁石
３    ：紐状体
３１  ：給電用のケーブル
３２  ：透明樹脂
４    ：発光ダイオード（ＬＥＤ）
４１  ：アノード
４２  ：カソード
４３  ：ＬＥＤダイス
【図１】
0003116069.tif 000003
【図２】
0003116069.tif 000004
【図３】
0003116069.tif 000005